(57)【特許請求の範囲】
【請求項１】
上型と下型とを合わせたケーシングであって、下型の周囲に形成された溝に発熱線を収納させ、上型の周囲に形成した凸部をこの溝に嵌め込んで凸部で発熱線を発熱させることにより凸部および溝の底部を溶融させ、凸部と溝とを相互に溶着させることによりケーシングの内部を水密に封止したケーシングの防水構造において、上記溝を長方形に形成すると共に、発熱線を、溝の長辺部分に嵌め込まれる長尺部と、この長尺部の両端からほぼ直角に曲げられ、溝の短辺部分のほぼ中間位置までに嵌め込まれる短尺部とからなるコ字状に形成された２本の発熱線ユニットで構成し、発熱線ユニットを溝に収納させた状態で発熱線ユニットの長尺部ではなく両短尺部のみを各々溝内から逸脱しないように固定する固定部を下型に形成したことを特徴とするケーシングの防水構造。
【請求項２】
上記固定部は、溝の１対の内壁面のうち、一方の内壁面から突出した、発熱線ユニットの短尺部の長さ方向に沿って所定距離離れた第１および第２の突起と、他方の内壁面から突出した、第１および第２の突起の間に位置する第３の突起とから構成され、発熱線ユニットを溝に収納させた状態で、これら第１から第３の突起によって発熱線ユニットの断片部が湾曲されることによって発熱線ユニットの短尺部が溝内から逸脱しないように固定することを特徴とする請求項１に記載のケーシングの防水構造。
【請求項３】
溝の上部開口を両側から挟んで対峙する斜面であって、溝側に向かって下り傾斜することにより、発熱線ユニットを溝内に収納させる際に発熱線ユニットをガイドするガイド部を、少なくとも上記第１から第３の突起の上部に設けたことを特徴とする請求項２に記載のケーシングの防水構造。
【発明の詳細な説明】
【技術分野】
【０００１】
本発明は、例えば浴室の壁面に取り付けられるリモコンやテレビ等のケーシングの防水構造に関する。
【背景技術】
【０００２】
上型と下型とから構成される樹脂製のケーシングであって、下型の合わせ面にケーシングの内部空間を囲む環状の溝を形成する。一方、上型の合わせ面にはこの溝に嵌まる突部が形成されている。下型の溝に発熱線を収納させた状態で上型を下型に合わせると、凸部の先端が発熱線を溝の底部に押し付けることになる。その状態で発熱線に通電して発熱線を加熱すると、凸部の先端部分と溝の底部とが溶融して相互に溶着する。その状態で発熱線への通電を停止して溶融した部分を冷却し再硬化させると、上型と下型とは合わせ面の全周にわたって切れ目無く密着し、ケーシングの内部が水密に密閉させることになる。上記発熱線はコ字状に形成された２本の発熱線ユニットから構成されており、一本ずつ溝にセットされる（例えば、特許文献１参照）。
【先行技術文献】
【特許文献】
【０００３】
【特許文献１】特開２００４−３５０１５１号公報（図３）
【発明の概要】
【発明が解決しようとする課題】
【０００４】
上記従来のものでは、発熱線ユニットは細径の針金状の金属線で構成されているため、溝にセットする前の段階で発熱線ユニットが変形しやすい。発熱線ユニットは本体は1個の平面を形成するように形成され、平坦な面に載置すると発熱線ユニットの全ての部分が平坦な面から浮き上がること無く面に接地する。ところが、発熱線ユニットが変形すると、平坦な面に載置した際に、一部が浮き上がることになる。このような変形をすると、溝に発熱線ユニットをセットしても発熱線ユニットの一部が溝から上方に飛び出し、上型の凸部を溝に嵌める際に、発熱線ユニットが溝と凸部との間に噛み込む恐れが生じる。
【０００５】
このような場合に、溝に発熱線ユニットをセットすると発熱線ユニットが溝から飛び出さないように発熱線ユニットを押さえる何らかの構造を溝に設けることが考えられる。ところが、例えば溝の入り口に弾性変形する爪を設け、発熱線ユニットを溝にセットする際に発熱線ユニットがその爪を外側に拡げ、セット後は元の姿勢に戻るような構成を採用すると、爪にアンダーカット形状を設けなければならないので射出成型の工程が複雑になる。
【０００６】
あるいは、溝に狭所を設けて発熱線ユニットをこの狭所に挟み込むことも考えられるが、狭所部分が塑性変形するため、割れなどが発生する恐れが生じる。
【０００７】
さらに、発熱線ユニットが１カ所の長尺部とその両端に短尺部を備えたコ字状であるため、長尺部を拘束する際に長尺部を変形させてしまい撓ませた状態で発熱させると、固定部が溶融して長尺部の撓みが開放されて、溝の側壁を溶融してしまう恐れも生じる。
【０００８】
そこで本発明は、上記の問題点に鑑み、上述のような不具合の生じないケーシングの防水構造を提供することを課題とする。
【課題を解決するための手段】
【０００９】
上記課題を解決するために本発明によるケーシングの防水構造は、上型と下型とを合わせたケーシングであって、下型の周囲に形成された溝に発熱線を収納させ、上型の周囲に形成した凸部をこの溝に嵌め込んで凸部で発熱線を発熱させることにより凸部および溝の底部を溶融させ、凸部と溝とを相互に溶着させることによりケーシングの内部を水密に封止したケーシングの防水構造において、上記溝を長方形に形成すると共に、発熱線を、溝の長辺部分に嵌め込まれる長尺部と、この長尺部の両端からほぼ直角に曲げられ、溝の短辺部分のほぼ中間位置までに嵌め込まれる短尺部とからなるコ字状に形成された２本の発熱線ユニットで構成し、発熱線ユニットを溝に収納させた状態で発熱線ユニットの長尺部ではなく両短尺部のみを各々溝内から逸脱しないように固定する固定部を下型に形成したことを特徴とする。
【００１０】
上記構成によれば、短尺部を固定部により固定するので、長尺部は拘束されない。そのため、発熱線ユニットを溝にセットする際に長尺部を変形させてしまう恐れが少ない。
【００１１】
また、上記固定部は、溝の１対の内壁面のうち、一方の内壁面から突出した、発熱線ユニットの短尺部の長さ方向に沿って所定距離離れた第１および第２の突起と、他方の内壁面から突出した、第１および第２の突起の間に位置する第３の突起とから構成され、発熱線ユニットを溝に収納させた状態で、これら第１から第３の突起によって発熱線ユニットの断片部が湾曲されることによって発熱線ユニットの短尺部が溝内から逸脱しないように固定すれば、固定部にアンダーカットを設ける必要が無く、かつ発熱線ユニットをセットする際に固定部を塑性変形させてしまう恐れも無い。
【００１２】
さらに、溝の上部開口を両側から挟んで対峙する斜面であって、溝側に向かって下り傾斜することにより、発熱線ユニットを溝内に収納させる際に発熱線ユニットをガイドするガイド部を、少なくとも上記第１から第３の突起の上部に設けておけば、発熱線ユニットを手作業でセットする際に作業が容易になり、あるいはセット作業を自動化する際にロボットによるセット作業を確実に行うことができる。
【発明の効果】
【００１３】
以上の説明から明らかなように、本発明は、発熱線ユニットを下型の溝にセットする際に、長尺部を変形させること無く発熱線ユニットの溝からの飛び出しを防止することができるので、上型の凸部を溝に確実に嵌合させることができ、かつ長尺部が溝の側壁を必要以上に溶融することを防止することができる。
【図面の簡単な説明】
【００１４】
【図１】本発明による浴室テレビ装置の設置状態を示す図
【図２】ケーシングの構造を示す分解図
【図３】下型と発熱線ユニットの形状を示す図
【図４】固定部の詳細を示す図
【図５】固定部による固定状態を示す図
【発明を実施するための形態】
【００１５】
図１を参照して、１は本発明が適用されるケーシングを採用した浴室テレビである。この浴室テレビ１は浴室内の壁面に取り付けられるものであり、湯水がかかった場合、内部に湯水が浸入すると内部の電子装置がショートするなどして故障する。そのため、ケーシング内部に湯水が浸入しないように、ケーシングは防水構造を採用する必要がある。
【００１６】
図２を参照して、この浴室テレビ１のケーシングは上型２と下型３とから構成されている。そして、そのケーシング内に電子装置１２が収納される。なお、１１は上型２の前面に着脱自在に装着される化粧用のカバーである。
【００１７】
上型２と下型３とは上述のように湯水が浸入しないように全周にわたって接合されなければならない。そのためには上型２と下型３とを全周にわたって接着剤により接着することも考えられるが、接着剤が硬化するまでケーシングを保持しなければならず生産性が損なわれる。
【００１８】
そこで、上型２と下型３との接合部分を一旦溶融させて融合させ、その後冷却させて再硬化させることにより上型２と下型３とを接合することとした。なお、このように上型２と下型３とを加熱することにより溶融する必要があるので、両者は共に熱可塑性の樹脂で射出成形されている。
【００１９】
図３を参照して、下型３の接合部分に全周にわたって溝３１を形成した。この溝３１に互いに同一形状の１対の発熱線ユニット４をセットし、図示しないが上型２の接合面に全周にわたって形成した突部をこの溝３１に嵌合させ、その状態で発熱線ユニット４に通電して発熱させることにより、溝３１の底部と凸部の先端部分とを溶融するようにした。なお、発熱線ユニット４に通電するための電極が挿入される孔が溝３１の左右部分に各１個ずつ設けられている。
【００２０】
発熱線ユニット４は図示のように１個の長尺部４１とその長尺部４１の両端に略９０度折れ曲がって連続する短尺部４２とから構成されている。この発熱線ユニット４を溝３１内にセットする必要があるが、発熱線ユニット４が細い線材で形成されているので、発熱線ユニット４が変形していると、発熱線ユニット４の一部が溝３１内に収まらない場合が生じる。そこで、発熱線ユニット４を溝３１内で保持する保持構造を溝３１に設けた。
【００２１】
図４および図５を参照して、保持構造として溝３１の短尺部４２が収納される部分に３個の突起３２，３２，３３を設けた。これらのうち、２個の突起３２，３２は溝３１の内壁のうちの一方に、所定の間隔を開けて形成されている。また、残りの突起３３は内壁の他方に形成され、かつ他の２個の突起３２，３２に挟まれる位置に形成されている。
【００２２】
このように３個の突起３２，３２，３３が形成されていると、発熱線ユニット４を溝３１にセットした場合に、図５に示すように、発熱線ユニット４の短尺部４２が湾曲され、その湾曲が戻ろうとする弾性力によって短尺部４２が各突起３２，３２，３３に押し付けられることになる。そして、その押し付け力による摩擦力によって短尺部４２が溝３１内から浮き出ることが防止される。
【００２３】
ところで、各突起３２，３２，３３の上部に各々ガイド部３２ａ，３２ａ，３３ａを設けた。これらガイド部３２ａ，３２ａ，３３ａは溝３１の上部開口を両側から挟んで対峙する斜面であって、溝３１側に向かって下り傾斜することにより、発熱線ユニット４を溝３１内に収納させる際に発熱線ユニット４をガイドするものである。また、これら  ガイド部３２ａ，３２ａ，３３ａの他に、同様の機能を奏するガイド部３４も合わせて設けた。
【００２４】
なお、本発明は上記した形態に限定されるものではなく、本発明の要旨を逸脱しない範囲内において種々の変更を加えてもかまわない。
【符号の説明】
【００２５】
１  浴室テレビ
２  上型
３  下型
４  発熱線ユニット
３１  溝
３２  突起
３３  突起
【図１】
0005863305.tif 000002
【図２】
0005863305.tif 000003
【図３】
0005863305.tif 000004
【図４】
0005863305.tif 000005
【図５】
0005863305.tif 000006